(57)【要約】【課題】  この考案は、作り易く、摘みやすく、貼り易く、かつ、容易に立体的な切り貼り絵を形成できる小片およびそれを用いた切り貼り絵を提供することを目的とする。【課題手段】  弾性シートを切断またはくり抜いて切り貼り絵用の小片２、３とする。  弾性シートを切断またはくり抜いてなる複数の小片２、３を、台紙１に平面的に並べて前記台紙に接着し、絵または模様を表現した切り貼り絵とする。  弾性シートを切断またはくり抜いてなる複数の小片を、順次接着重ねてその最下段の小片を前記台紙に接着し、立体的な絵または模様を表現した切り貼り絵とする。  前記台紙１および前記小片２、３の表面を面ファスナーとするのが好ましい。  小片２、３の裏面に両面接着テープを取り付けるのが好ましい。【選択図】      図１
0003102314.tif 000002
【実用新案登録請求の範囲】
【請求項１】
弾性シートを切断またはくり抜いてなる切り貼り絵用小片。
【請求項２】
弾性シートを切断またはくり抜いてなる複数の小片を、台紙に平面的に並べて前記台紙に接着し、絵または模様を表現してなる切り貼り絵。
【請求項３】
弾性シートを切断またはくり抜いてなる複数の小片を、順次接着重ねてその最下段の小片を前記台紙に接着し、立体的な絵または模様を表現してなる切り貼り絵。
【請求項４】
台紙および小片の表面を面ファスナーとしてなる請求項１に記載の小片、或いは、請求項２または３に記載の切り貼り絵。
【請求項５】
小片の裏面に両面接着テープを取り付けてなることを特徴とする請求項１に記載の小片、或いは、請求項２または３に記載の切り貼り絵。
【考案の詳細な説明】
【技術分野】
【０００１】
この考案は、ゴムまたはＥＶＡ等の弾性シートを切断またはくり抜いた切り貼り絵用の小片およびそれを用いた切り貼り絵（ちぎり絵）に関するものである。
【背景技術】
【０００２】
従来から紙をちぎった小片を貼付して形成するちぎり絵がある。この紙をちぎった小片は小さく、薄くて、貼付のために糊で貼りにくい。
そこで、特許文献１に記載の発明のように、両面接着シートの両面に剥離紙を貼り、それから図柄部分を切り取って片面の剥離紙を剥がし、その図柄部分の露出した接着シートの面を和紙に接着させ、図柄部分の輪郭に沿って和紙をちぎりって小片を形成し、その小片の剥がしてない剥離紙をはがし、露出した接着シートの面を台紙に当接させて、貼付している。
【特許文献１】特開平６−９２０９８号公報      （課題を解決するための手段の項の０００７、図面）
【考案の開示】
【考案が解決しようとする課題】
【０００３】
従来のちぎり絵の図柄部分の小片は、厚みが非常に薄く、かつ、小さい。特許文献１に記載のちぎり絵用の小片は、和紙に接着シートを重ねているが、この接着シートは０，０５ｍｍ程度の厚さの塩化ビニル製であるので、これと和紙を重ねても厚さは非常に薄い。このような小片を台紙に貼る際に、指先で摘みにくく、台紙の上の図柄の正しい位置に貼るのがむつかしく、図柄がずれたものになりがちである。さらに、小片を作り、台紙に貼るのにための準備作業に時間と、手数がかかる。
また、従来のちぎり絵は平面的であって変化に乏しい。立体的な絵にするためには、小片を多数重ねて貼らなければならず、手数がかかる。
この考案は、作り易く、摘みやすく、貼り易く、かつ、容易に立体的な切り貼り絵を形成できる小片およびそれを用いた切り貼り絵を提供することを目的とする。
【課題を解決するための手段】
【０００４】
弾性シートを切断またはくり抜いて切り貼り絵用の小片とする。
弾性シートを切断またはくり抜いてなる複数の小片を、台紙に平面的に並べて前記台紙に接着し、絵または模様を表現した切り貼り絵とする。
弾性シートを切断またはくり抜いてなる複数の小片を、順次接着重ねてその最下段の小片を前記台紙に接着し、立体的な絵または模様を表現した切り貼り絵とする。
【０００５】
前記台紙および前記小片の表面を面ファスナーとするのが好ましい。
小片の裏面に両面接着テープを取り付けるのが好ましい。
【考案の効果】
【０００６】
この考案に係る切り貼り絵用の小片は、各種の厚みの弾性シートを選定してそのシートを切断またはくり抜いたものであり、小片は作り易く、厚みがあって摘みやすく、従って貼り易く、その小片を台紙に貼付して立体的な絵または模様を形成することができる。
小片は弾性があるので、台紙への貼付の際に、指先で押して変形させながら貼付できるから、微妙な美的表現ができる。
台紙および小片の表面を面ファスナーとするか、または、小片の裏面に両面接着テープ（または両面接着シート）を取付ければ、台紙への小片貼付がし易く、またその貼付のやり直しができるので、小片を所望の位置に正しく貼付でき、好ましい絵または模様を表現することができる。
【考案を実施するための最良の形態】
【０００７】
ゴムまたはプラスチック等弾性シート、好ましくはＥＶＡ等の発泡樹脂のシート、をくり抜きまたは切り取って小片を形成し、その小片を台紙に貼付して絵または模様を形成する。
図１に示すものは、台紙１に、円形の小片２を貼付し、その周囲に花弁状の小片３を５枚配置して貼付し、花模様を形成したものである。
【０００８】
台紙１は、紙、布、プラスチックシートまたは板、、木板、金属板、石板等のいずれでも良い。
【０００９】
小片２、３の台紙１への貼付は、接着剤を用いて接着してもよく、または、台紙１の表面と小片２、３の裏面を、雌雄反対の面フアスナーで覆ってそれにより接着してもよい。  この面ファスナーによる接着方式を採用すれば、小片２、３の接着位置の修正変更が容易である。
面ファスナーの代わりに両面接着テープ（シート）を用いてもよい。
小片への面フアスナーまたは両面接着テープの取付けは、弾性シートの裏面に面フアスナーまたは両面接着テープを取付けた後に、小片をくり抜くか切り取ることとするのが好ましい。
【００１０】
図２に示すものは、台紙１に水面の小鳥を立体的に表現したものである。
すなわち、台紙１に胴部の小片４を貼付し、その小片４の上に、頭部の小片５と翼部の小片６を重ねて立体的な模様とする。胴部には、小片４の上に、順次一廻り小さい小片を重ねて複数層とすれば、より立体的になる。
小片４、５、６は、小片２、３と同様の材料で形成し、その接着方法も上記の方法と同様の方法とする。
【００１１】
いずれの実施の形態の小片も、予め工場で刃型を用いてくり抜いたものでもよく、または、貼り絵をする人が上記シートーをカッターや鋏等で切断したり、切り抜いたものでもよい。
上記シートの厚み、従って、小片の厚みは限定しないが、少々厚みのあるものが摘み易く好ましい。
【００１２】
各小片は、上記の弾性シートから形成しているので、弾力がある。従って、小片を台紙に接着する際に、指先で小片を押して多少変形させながら接着させることができる。
なお、図１に示す小片２、３のように、孔７を形成しておくと、上記の変形を容易にする。また、孔７には台紙１の色彩があらわれ、絵または模様の色彩を多様にする。
【００１３】
各小片を種々の形状、色彩にすることにより、多様な絵または模様を形成することができる。
多種類の色彩の台紙および小片を用意することにより、その時々に選択して、好みの絵または模様を形成することができる。
【図面の簡単な説明】
【００１４】
【図１】台紙に絵を形成したものの斜視図である。
【図２】台紙に立体的な絵を形成したものの斜視図である。
【符号の説明】
【００１５】
１  台紙
２、３、４、５、６  小片
７  孔
【図１】
0003102314.tif 000003
【図２】
0003102314.tif 000004